(57)【要約】【課題】  保存食材に応じた数種の期限管理を効率良く行え、しかも早く食べさせる意識付けが行えるような工夫を施した食材管理シール付き台紙を提供する。【解決手段】  剥離紙１上に貼り合わされシール用紙２には多数の食材管理シール３が形成されている。各食材管理シール３は、食材の期限管理のための基準日項目３３と、その基準日項目３３の日付を記入可能とする日付記入部３４と、管理すべき食材の品名を記入可能とする品名記入部３５とを有する。基準日項目３３は数種類の異なる基準日として調理日、賞味期限、開封日、購入日が付されている。品名記入部３５は部分的に結合部ｈを残して他の部分と切り離された切り目ｋ２が設けられ、品名記入部３５を押えた状態でその食材管理シール３を剥離紙１から剥がすと結合部ｈが破断して品名記入部３５のみが食材管理シール３から切り離されて剥離紙１上に残った状態となるように構成される。【選択図】  図２
0003112505.tif 000002
【実用新案登録請求の範囲】
【請求項１】
保存食材の期限管理のための食材管理シールを多数形成したシート状の台紙であって、
裏面側の剥離紙と、この剥離紙上に貼り合わされ、裏面に弱粘性粘着層が形成された表面側のシール用紙とを有し、
上記シール用紙には、他の部分と切り離された切込みが設けられて上記剥離紙から１つずつ剥がし取って食材等に貼り付け可能とする食材管理シールが多数形成されており、
上記の各食材管理シールは、食材の期限管理のための基準日項目と、その基準日項目の日付を記入可能とする日付記入部と、管理すべき食材の品名を記入可能とする品名記入部とを有し、
上記基準日項目は、数種類の異なる基準日が付され、
上記品名記入部は、部分的に結合部を残して他の部分と切り離された切り目が設けられ、この品名記入部を押えた状態でその食材管理シールを剥離紙から剥がすと上記結合部が破断して品名記入部のみが食材管理シールから切り離されて剥離紙上に残った状態となるように構成されていることを特徴とする食材管理シール付き台紙。
【請求項２】
請求項１に記載の食材管理シール付き台紙において、
上記基準日項目は、少なくとも調理日、賞味期限、開封日および購入日の４項目が設けられている食材管理シール付き台紙。
【請求項３】
請求項１または２に記載の食材管理シール付き台紙において、
上記各食材管理シールは、丸型に形成されており、その真ん中の円形部分には上記日付記入部と上記品名記入部が設けられ、周囲を縁取る環状部分に上記基準日項目が設けられている食材管理シール付き台紙。
【請求項４】
請求項１ないし３のいずれかに記載の食材管理シール付き台紙において、
台紙の裏面側には、上記食材管理シールの形成されていない位置に対応して上記剥離紙に切込みを形成してその剥離紙部分を剥がし取れるように構成したスリッターが設けられている食材管理シール付き台紙。
【考案の詳細な説明】
【技術分野】
【０００１】
本考案は、保存食材の期限管理のための食材管理シールを多数形成したシート状の食材管理シール付き台紙に関するものである。
【背景技術】
【０００２】
近年、食文化や生活様式の多様化等から、飲食店や食材の量販店のみならず一般家庭においても様々な食材を一度に大量に購入し、調理に使うまでは冷蔵庫や台所のキャビネット等に保管されることが多い。また、通常、残り物料理は、容器に移し替えて後日に食べるまでは冷蔵庫等に保管される。このように冷蔵庫や台所等には、多種多量の食材が保管されているが、これらすべての食材について賞味期限や購入日、包装の開封日あるいは残り物料理の調理日等を消費者の記憶によってすべて把握するのは現実には不可能である。そのため、長期間放置されて腐らせたり、賞味可能か否か不明となって廃棄処分されるといったこともある。
【０００３】
従来、このような食材管理のため、図５に示すように、食品保管の観点からその日付の把握が重要となる調理上の行為として「購入」「開封」「調理」「冷凍」「解凍」「賞味期限」等ごとに表示した表示ラベル３００を作り、この表示ラベル３００に日付欄やコメント欄を設け、消費者が日付やコメントを記入して個々の食材に貼り付けるようにしたものが提供されている（特開２００３−２３３３１４号公報）。
【考案の開示】
【考案が解決しようとする課題】
【０００４】
しかしながら、上記表示ラベル３００では、調理上の行為ごとに作成されているため、特定の表示ラベル３００が過不足を生じ、使い勝手のよいものではなかった。また、上記表示ラベル３００は、保存する食材等に貼り付けられるため、冷蔵庫等のドアを開けて確認する前に消費者に対してその保存食材は早く食べる必要があるといった意識付けができない。そのため、特に残り物料理や賞味期限の短い食材等が食べ忘れられて廃棄処分されることにもなり兼ねなかった。
【０００５】
本考案は、上記事情に鑑みてなされたものであり、保存食材に応じた数種の期限管理を効率良く行え、しかも、早く食べさせる意識付けが行えるような工夫を施した食材管理シール付き台紙を提供するものである。
【課題を解決するための手段】
【０００６】
（１）本考案による食材管理シール付き台紙は、
保存食材の期限管理のための食材管理シールを多数形成したシート状の台紙であって、
裏面側の剥離紙と、この剥離紙上に貼り合わされ、裏面に弱粘性粘着層が形成された表面側のシール用紙とを有し、
上記シール用紙には、他の部分と切り離された切込みが設けられて上記剥離紙から１つずつ剥がし取って食材等に貼り付け可能とする食材管理シールが多数形成されており、
上記の各食材管理シールは、食材の期限管理のための基準日項目と、その基準日項目の日付を記入可能とする日付記入部と、管理すべき食材の品名を記入可能とする品名記入部とを有し、
上記基準日項目は、数種類の異なる基準日が付され、
上記品名記入部は、部分的に結合部を残して他の部分と切り離された切り目が設けられ、この品名記入部を押えた状態でその食材管理シールを剥離紙から剥がすと上記結合部が破断して品名記入部のみが食材管理シールから切り離されて剥離紙上に残った状態となるように構成されていることを特徴とするものである。
【０００７】
上記食材管理シールには、基準日項目として、数種類の異なる基準日が設けられているので、これらの基準日項目から必要な基準日を選ぶことができ、１つの食材管理シールで数種類の期限管理を行うことができる。従って、食材管理シールが過不足することなく食材の各種期限管理を効率良く行うことができる。
【０００８】
しかも、食材管理シールの品名記入部は、上記切り目により容易に台紙上に残すようにして食材管理シールを剥がし取ることができるので、例えば、台紙を冷蔵庫等のドアに貼り付けるようにし、台紙上に残された品名記入部を見れば保管している食材の品名が冷蔵庫等を開ける前に一目で分かる。従って、上記台紙を見れば冷蔵庫等に保管している食材の在庫が一目で分かり、家族全員にもその食材を早く食べなければならないといった意識付けが行える。
【０００９】
例えば、残り物料理等のように容器に移し替えて冷蔵庫等に保存する場合は、台紙上の食品管理シールにおいて基準日項目のうち調理日を選択すると共にその品名、調理日を記入し、次いで、その品名記入部が台紙に残るようにしてその食品管理シールを剥離紙から剥がし取って残り物料理を収納する容器に貼り付ける。すると、この残り物料理の品名を記入した品名記入部が台紙上に残されるので、冷蔵庫のドア等に貼った台紙を見れば、冷蔵庫には特定の残り物料理が有ることが一目で分かる。しかも、容器に貼り付けた食材管理シールより、基準日項目の中から調理日が選択され、且つ日付記入部には日付が記入されているので、その調理日が一目で分かる。従って、このような食材は早く食べる必要がある等の意識付けが行え、食べ忘れを防止することができる。
【００１０】
また、この品名記入部を台紙上に残すことなく食材管理シールと一緒に台紙から剥がし取ることができるので、中身の見えない容器に貼り付けることで、その容器に収納している食材の品名が一目で分かり、便利である。なお、保管する食材が外見上からはっきり分かる場合は上記品名記入部には品名を記入することなく上記食材管理シールをその食材等に貼り付けるようにしてもよい。
【００１１】
（２）また、上記基準日項目は、少なくとも調理日、賞味期限、開封日および購入日の４項目が設けられるようにしてもよい。
これにより、食材を衛生上安全に食することができる期間の目安として重要で頻繁に使用される基準日のほぼすべてを含めることができ、便利である。
【００１２】
（３）また、上記各食材管理シールは、丸型に形成されており、その真ん中の円形部分には上記日付記入部と上記品名記入部が設けられ、周囲を縁取る環状部分に上記基準日項目が設けられるようにしてもよい。
これにより、食材等に貼り付ける上記食材管理シールが丸型に形成されているので、様々な形をした食材あるいはその食材をラッピングしたラップ、また、容器、袋物、ビン、缶等の本体や蓋等、あらゆる形のものに貼り付け易い。しかも、日付記入部や品名記入部が食材管理シールの真ん中に設けられているので、日付や品名が見易くなっている。従って、食材管理シールの使用の利便がよい。
【００１３】
（４）また、台紙の裏面側には、上記食材管理シールの形成されていない位置に対応して上記剥離紙に切込みを形成してその剥離紙部分を剥がし取れるように構成したスリッターが設けられるようにしてもよい。
これにより、上記スリッターによってその剥離紙部分を剥がし取ると、その部分は、表面側のシール用紙の粘着層が露出され、この露出された粘着層を利用して冷蔵庫のドアなど、あらゆる面に台紙を貼り付けることができる。従って、セロハンテープや鋲などを使うことなく食材を保管している場所の近くに台紙を簡易に貼り付けることができ、食材管理シールの使用や食材管理のための利便がよい。
【考案の効果】
【００１４】
（１）以上のように、本考案の食材管理シール付き台紙によれば、１つの食材管理シールで数種類の異なる基準日の期限管理を行うことができるので、食材管理シールが過不足することなく食材の各種期限管理を効率良く行うことができる。しかも、品名記入部を台紙上に残すように食材管理シールを剥がし取ることができるので、台紙を見れば冷蔵庫等に保管している食材の在庫が一目で分かり、家族全員にもその食材を早く食べなければならないといった意識付けが行える。例えば、残り物料理は食べ忘れを防止するのに有効である。また、この品名記入部を台紙上に残すことなく食材管理シールと一緒に台紙から剥がし取ることができるので、中身の見えない容器に貼り付けることで、その食材の品名が一目で分かるようになり、便利である。従って、冷蔵庫等に保存された食材において、日付の古いものから処理することができ、長期間放置して腐らせたり賞味可能か否か不明となって廃棄してしまうといった衛生上、経済上のロスを防止することができる。
【００１５】
（２）また、上記基準日項目として、少なくとも調理日、賞味期限、開封日および購入日の４項目を設けることで、食材を衛生上安全に食することができる期間の目安として重要で頻繁に使用される基準日のほぼすべてを含めることができ、便利である。
【００１６】
（３）また、上記食材管理シールが丸型に形成されることで、あらゆる形のものに貼り付け易く、しかも、日付記入部や品名記入部が食材管理シールの真ん中に設けられることで、日付や品名が見易くなる。従って、食材管理シールの使用の利便がよい。
【００１７】
（４）また、台紙の裏面側に剥離紙の一部を剥がし取れるスリッターが設けられることで、その剥離紙部分を剥がし取ってあらゆる面に台紙を簡易に貼り付けることができ、食材管理シールの使用や食材管理のための利便がよい。
【考案を実施するための最良の形態】
【００１８】
以下に、本考案の実施の形態について図面を参照しながら説明する。
図１は、本考案の実施の形態による食材管理シール付き台紙Ｓを示し、図２は、この台紙から食材管理シールを剥がし取ったときの様子を示す。
【００１９】
図１に示すように、本考案の実施の形態による食材管理シール付き台紙Ｓは、保存食材の期限管理のための食材管理シール３を多数形成したシート状の台紙であり、裏面側の剥離紙１と、この剥離紙１上に剥離可能に貼り合わされた表面側のシール用紙２とを有し、Ａ４等の矩形シート状に形成されたものである。
上記剥離紙１は、紙製基材上に樹脂コート層が形成されたものが使用されるが、その他公知の種々のものが使用される。
上記シール用紙２は、裏面に弱粘性の粘着層２１が形成されて上記剥離紙１上に貼り合わされており、このシール用紙２自体も公知の種々のものが使用される。また、このシール用紙２は、表面に所定の印刷が施され、そして、縦横に整列された丸型の食材管理シール３が複数形成されている。
【００２０】
図２に示すように、各食材管理シール３は、その外周囲にはシール用紙２の他の部分と切り離された円形の切込みｋ１が設けられており、台紙Ｓから１つずつ丸型に剥がせるように形成されている。各食材管理シール３の表面には、食材の期限管理のための基準日項目３３と、その基準日項目３３の日付を記入可能とする日付記入部３４と、管理すべき食材の品名を記入可能とする品名記入部３５とを有している。すなわち、食材管理シール３の表面は、その周囲を縁取る環状部分３１と、真ん中の円形部分３２とに区画されており、周囲の環状部分３１に上記基準日項目３３が設けられ、真ん中の円形部分３２に上記日付記入部３４と上記品名記入部３５とが設けられる。なお、上記環状部分３１と上記円形部分３２とは、色違いに印刷して区画されているが、真ん中の円形部分３２の周囲に沿って線を印刷して区画するようにしてもよい。
【００２１】
上記基準日項目３３は、食材を衛生上安全に食することができる期間の目安を明示する項目であり、具体的には、「調理日」、「賞味期限」、「開封日」および「購入日」の４項目からなる。なお、これら「調理日」、「賞味期限」、「開封日」、「購入日」の各項目は、上記環状部分３１に印刷するに際して、上下が反転しないように印刷されている。また、これら４項目の基準日項目３３にはそれぞれチェックマークによって項目選択できるようにチェックボックスｃが一緒に付されている。なお、このようなチェックボックスｃを印刷しないものでもよく、その場合は、選択する基準日項目３３の全体を手書きによって○印で囲むようにすればよい。
【００２２】
上記日付記入部３４は、上記４項目の中から選んだ基準日項目３３の日付を手書き等で記入する記入欄であり、食材管理シール３の真ん中の空白欄となった円形部分３２が使用される。具体的には、この真ん中の円形部分３２のうち、下半分の半円部分が上記日付記入部３４とされる。なお、この日付記入部３４には、日付を記入することが誰にでも理解し易くするため予め斜線を印刷しておいてもよい。
【００２３】
上記品名記入部３５は、管理すべき食材の品名を手書き等で記入する記入欄であり、真ん中の空白欄となった円形部分３２のうちの上記日付記入部３４より上の半円部分が使用される。また、この品名記入部３５となる半円部分は、部分的に結合部ｈを残して他の部分と切り離された切り目ｋ２が設けられており、食材管理シール３から切り離し可能に構成されている。これにより、この品名記入部３５を押えた状態でその食材管理シール３を剥離紙１から剥がすと上記結合部ｈが破断して品名記入部３５のみが剥離紙１上に残された状態となる。このとき、食材管理シール３は、真ん中の円形部分３２から半円状の上記品名記入部３５が抜け落ちた状態の丸型となって剥離紙１から剥がし取られる。なお、上記結合部ｈは、複数箇所に設けるようにしてもよく、その場合に結合部ｈを設ける位置や個数としては品名記入部３５の抜け易さ等を考慮して適宜に設定することができる。
また、この品名記入部３５を押えずに食材管理シール３を剥離紙１から剥がすと、この品名記入部３５が抜け落ちることなく結合部ｈによって保持された状態の丸型となって剥離紙１から剥がし取られる。
【００２４】
このようにして剥がし取った食材管理シール３は、期限管理する食材の容器等に貼り付ける。なお、この食材管理シール３の裏面（シール用紙２の裏面と同じ）に形成された粘着層２１は弱粘性であるから、容器等に貼り付けた食材管理シール３を容易に剥がすことができ、且つ容器等に剥がし跡を残すこともない。
【００２５】
また、シール用紙２に食材管理シール３を整列配置した一部において、食材管理シール３に代えて、例えば、管理する食材の所有者表示シール７が形成されている（図１を参照）。
【００２６】
また、上記シール用紙２は、食材管理シール３を形成していない空スペースに、この食材管理シール３の使用方法の説明文４や使用例の画像５のほか、会社名や商品宣伝等の各種広告のための広告欄６が印刷されている（図１を参照）。このような広告欄６を設けることで、この食材管理シール付き台紙Ｓは、企業、各種団体、地域の役所関係等における商品またはキャンペーンに対するノベルティ商品や、雑誌等の折込み用に使用する等の活用が可能である。
【００２７】
さらに、この台紙Ｓの裏面側にあって、食材管理シール３の形成されていない上部には、剥離紙１に２条の切込みｋが形成されてこの部分の剥離紙１を剥がすことができるスリッター１１が設けられている（図１を参照）。このスリッター１１となる剥離紙１部分を剥がせば表面側のシール用紙２の粘着層２１が露出され、この粘着層２１を利用して冷蔵庫のドア等にこの台紙Ｓごと貼り付けておくことができる。
【００２８】
なお、以上の構成の上記台紙Ｓは、剥離紙１とシール用紙２を貼り合せた連続シートあるいは枚葉シートより、表面側のシール用紙２に対して、食材管理シール３等の印刷、食材管理シール３の切込みｋ１、品名記入部３５の切り目ｋ２等を形成し、また、裏面側の剥離紙１に対してスリッター１１の形成等を行って製造されるが、その他公知の種々の方法により製造することができる。
【００２９】
次に、上記台紙Ｓの使用例を説明する。
図３は、この台紙Ｓを冷蔵庫のドアに貼り付けた状態を示し、図４は、冷蔵庫内において食材等に食材管理シールを貼り付けた状態を示す。
図３に示すように、例えば、上記台紙Ｓを裏面のスリッター１１による剥離紙１部分を剥がし、露出させたシール用紙２の粘着層２１によって冷蔵庫のドア等に貼っておく。
【００３０】
・使用例１（品名記入部３５を台紙Ｓ上に残す場合）
肉じゃが、ひじき等の残り物料理をタッパ等の容器Ｔに移して冷蔵庫に保存するとき、台紙Ｓの中の１つの食材管理シール３に対して、保管する食材の品名、調理日をそれぞれ品名記入部３５、日付記入部３４に記入すると共に、基準日項目３３のうち調理日にチェックを入れる。
そして、この食材管理シール３を台紙Ｓから剥がし取るときに、その食材管理シール３の品名記入部３５を押えた状態で剥がすようにする。すると、品名記入部３５は、切り目ｋ２の間の結合部ｈが破断して剥離紙１上にこの品名記入部３５のみが残された状態となる（図３を参照）。食材管理シール３は、その全周にシール用紙２の他の部分と切り離された丸型の切込みｋ１が設けられているので、食材管理シール３は、真ん中の円形部分３２から半円状の上記品名記入部３５が抜け落ちた状態の丸型となって剥離紙１から剥がし取られる（図２の食材管理シール３Ａを参照）。
そして、この食材管理シール３を食材を入れたタッパ等の容器Ｔに貼り付け、この容器を冷蔵庫に収納する（図４（ａ）の２段目を参照）。
なお、容器の側面に上記食材シール３を貼り付けた場合は、この食材管理シール３が前向きになるように容器を冷蔵庫に収納すれば、ドアを開けたときに前から食材管理シール３が見えるので、その容器に入れた食材の調理日が一目で分かる。
【００３１】
・使用例２（品名記入部３５も一緒に剥がし取る場合）
購入時に包装されていない野菜や果物等の食材は、例えば、１つずつラッピングして冷蔵庫に保存する際に、台紙Ｓの中の１つの食材管理シール３に対して、購入日を日付記入部３４に記入すると共に基準日項目３３のうち購入日にチェックを入れる。なお、食材管理シール３の品名記入部３５には、その食材の品名を記入してもよいし、記入しなくてもよい。
そして、この食材管理シール３を台紙Ｓから剥がし取るときは、品名記入部３５を押えることなく食材管理シール３を剥がし、品名記入部３５が結合部ｈによって保持されて切り離されないようにし、丸型の食材管理シール３全体を剥離紙１から剥がし取る（図２の食材管理シール３Ｂ，３Ｃを参照）。
そして、この食材管理シール３を食材にラッピングしたラップに貼り付けて冷蔵庫に収納する（図４（ｂ）を参照）。
なお、衛生上の問題がなければ、野菜等の食材にラップをかけることなく食材管理シール３を直接その食材に貼り付けてもよい。
【００３２】
・その他の使用例
（１）調理に全部使わず残った肉、魚等の食材を新たにラップ等で包装して冷蔵庫に保存するとき等は、台紙Ｓの中の１つの食材管理シール３に対して、購入時の包装等に付されていた賞味期限を日付記入部３４に記入すると共に、基準日項目３３のうち賞味期限にチェックを入れ、上記同様にこの食材管理シール３全体を剥離紙１から剥がし取って食材に新たに包装したラップに貼り付け、これを冷蔵庫に収納する。
【００３３】
（２）例えば開封後はお早めにご使用下さい等と表示されているジャム、ドレッシング類等のようなビン等の容器類に詰められた食材は、台紙Ｓの中の１つの食材管理シール３に対して、少なくとも開封日を日付記入部３４に記入すると共に基準日項目３３のうち開封日にチェックを入れ、上記同様にこの食材管理シール３全体を剥離紙１から剥がし取って容器のキャップ等に貼り付けて冷蔵庫に収納する。
【００３４】
（３）中身の見えない容器Ｔに詰め替えて冷蔵庫に保存する場合は、台紙Ｓの中の１つの食材管理シール３に対して、その食材の品名および包装の開封日を日付記入部３４に記入すると共に基準日項目３３のうち開封日にチェックを入れ、上記同様にこの食材管理シール３全体を剥離紙１から剥がし取って容器のキャップ等に貼り付けて冷蔵庫に収納する（図２の食材管理シール３Ｂ、図４（ａ）の上段を参照）。
【００３５】
（４）パック詰めされた漬物、惣菜等の食材を比較的小さな容器等に詰め替えて冷蔵庫に保存する場合、例えば、これら小容器をトレー等に一まとめに収容させるようにし、それぞれの食材について、台紙Ｓの食材管理シール３において、品名やパックの開封日等を品名記入部３５、日付記入部３４に記入すると共に基準日項目３３のうち開封日等にチェックを入れ、これらの食材管理シール３をその全体を剥離紙１から剥がし取って上記トレーにすべて貼り付けるようにしてもよい（図４（ａ）の下段を参照）。
【００３６】
（５）冷蔵庫のチルドケースに保存する数種類の食材について、台紙Ｓの食材管理シール３において、品名やその食材に応じた期限管理の日付（賞味期限、開封日、購入日など）を品名記入部３５、日付記入部３４に記入すると共に、その日付に応じた基準日項目３３にチェックを入れ、これらの食材管理シール３をその全体を剥離紙１から剥がし取ってチルドケースの蓋にすべて貼り付けるようにしてもよい。
【００３７】
（６）その他、冷蔵庫以外に台所やキャビネットや戸棚等に置かれた食材、開封したペットフード等についても、上記台紙Ｓを近くの壁等に貼り付けて、上記使用例の如く食材管理シール３を使用してこれらの食材の期限管理を行うようにしてもよい。
【００３８】
なお、本考案は、上記実施の形態のみに限定されず、適宜変更することが可能である。
例えば、上記シール用紙２には、説明文４や広告欄６等を設けずに食品管理シール３だけを全体に形成してもよい。これにより、台紙Ｓのサイズを小さくしても（例えば、Ａ５サイズ等）、１枚の台紙Ｓに多くの食品管理シール３を形成できる。なお、この場合、説明文４等は普通紙に印刷した説明書を別に作成し、この説明書と共に食品管理シール３だけを形成した台紙Ｓを袋入れしてセットし需要者等に提供するようにしてもよい。
また、上記スリッター１１は、台紙Ｓの上部に１箇所形成するが、台紙Ｓの上部と下部の２箇所に形成するようにしてもよい。これにより、台紙Ｓを上下２箇所で冷蔵庫のドアなどの面に安定的に貼り付けることができる。
また、上記スリッター１１は、２条の切込みｋにより形成するが、上辺付近に１条の切込みｋを設け、この切込みｋよりも上部全体の剥離紙１を剥がすような形態としてもよい。なお、下部にもスリッターを設ける場合、２条の切込みにより下部スリッターを形成してもよいし、上記同様に１条の切込みにより下部スリッターを形成してもよい。
【図面の簡単な説明】
【００３９】
【図１】本考案の実施の形態による食材管理シール付き台紙を示す平面図である。
【図２】食材管理シール付き台紙から食材管理シールを剥がし取るときの様子を示す模式図である。
【図３】食材管理シール付き台紙を冷蔵庫のドアに貼り付けた状態を示す模式図である。
【図４】冷蔵庫内において食材等に食材管理シールを貼り付けた状態を示す模式図である。
【図５】従来の食材管理のための表示ラベルを示す平面図である。
【符号の説明】
【００４０】
１  剥離紙
２  シール用紙
３  食材管理シール
６  広告欄
１１  スリッター
２１  粘着剤
３３  基準日項目
３４  日付記入部
３５  品名記入部
ｈ  結合部
ｋ，ｋ１  切込み
ｋ２  切り目
Ｓ  食材管理シール付き台紙
【図１】
0003112505.tif 000003
【図２】
0003112505.tif 000004
【図３】
0003112505.tif 000005
【図４】
0003112505.tif 000006
【図５】
0003112505.tif 000007